(57)【特許請求の範囲】
【請求項１】
プラスチックフイルムをヒートシールすることにより密封する包装袋の周縁シール部の少なくとも１箇所に、袋の一辺の両端部を基部とし袋の内方側に頂部を有するなだらかな連続Ｖ字型シール部を設けた電子レンジ用包装袋において、前記Ｖ字型シール部を複数の線状シールにより、シール部の外縁部及び内縁部がともにＶ字状となるように構成したことを特徴とする電子レンジ用包装袋。
【請求項２】
連続Ｖ字型シール部のシール幅を他の周縁シール部のシール幅よりも狭くしたことを特徴とする請求項１に記載の電子レンジ用包装袋。
【請求項３】
線状シールのシール幅を１〜３ｍｍとしたことを特徴とする請求項１又は２に記載の電子レンジ用包装袋。
【請求項４】
連続Ｖ字型シール部を包装袋の長辺に設けたことを特徴とする請求項１〜３のいずれかに記載の電子レンジ用包装袋。
【請求項５】
連続Ｖ字型シール部の頂部の開き角度を１２０〜１７０度としたことを特徴とする請求項１〜４のいずれかに記載の電子レンジ用包装袋。
【請求項６】
連続Ｖ字型シール部の外側に弱化部を形成したことを特徴とする請求項１〜５のいずれかに記載の電子レンジ用包装袋。
【請求項７】
連続Ｖ字型シール部のシール強度が２．３ｋｇ／１５ｍｍ以上であることを特徴とする請求項１〜６のいずれかに記載の電子レンジ用包装袋。
【請求項８】
連続Ｖ字型シール部の外側にローレットシールを施したことを特徴とする請求項１〜７のいずれかに記載の電子レンジ用包装袋。
【請求項９】
包装袋が分岐部を有する包装袋であり、該分岐部に連続Ｖ字型シール部を設けたことを特徴とする請求項１〜８のいずれかに記載の電子レンジ用包装袋。
【請求項１０】
包装袋がスタンディングパウチであることを特徴とする請求項１〜９のいずれかに記載の電子レンジ用包装袋。
【請求項１１】
包装袋の製袋と内容物の充填を連続して行うことを特徴とする請求項１〜１０のいずれかに記載の電子レンジ用包装袋に内容物を充填した包装体の製造方法。
【請求項１２】
包装袋の製袋と内容物の充填を別々に行うことを特徴とする請求項１〜１０のいずれかに記載の電子レンジ用包装袋に内容物を充填した包装体の製造方法。
【発明の詳細な説明】
【０００１】
【発明の属する技術分野】
本発明は、液状物、固形物、あるいはこれらの混合物からなるレトルト食品等の内容物を充填した包装袋を電子レンジで加熱した際に、包装袋内部に発生する蒸気等を自動的に逃がし、包装袋の破裂、変形や内容物の飛散を防止することができる電子レンジ用包装袋に関する。
【０００２】
【従来の技術】
レトルト食品、冷凍食品などを密封充填した包装袋を電子レンジで加熱すると、加熱に伴って内容物から発生する水蒸気等により袋内部の圧力が上昇し、包装袋が破裂して内容物が飛散するとともに、電子レンジ内を汚したり、人体に対してやけど等の危害を与えるおそれがある。
【０００３】
このため、このような包装袋を電子レンジで加熱調理する前に、包装袋を予め部分的に開封しておいたり、包装袋本体に孔を開けることにより包装袋内で発生する水蒸気等を外部に排出し、包装袋の破袋を防止する方法がとられている。
しかしながら、このような方法は一般消費者にとっては手間のかかるものであるとともに、電子レンジ加熱により発生した水蒸気が直ちに包装袋外へ排出されるために、水蒸気による加熱蒸らし効果が低減し、食味が落ちるという欠点がある。
【０００４】
また、電子レンジ加熱時における包装袋の内圧上昇を自動的に逃がすために、（１）ヒートシール部の一部に内方に向って突出するＶ字型又はＵ字型の突出部を設けた包装袋（特公平４−４０００５号公報、特公平８−２５５８３号公報、特開平８−２７６９６６号公報等）、（２）ヒートシール部の一部に弱接着部を設け、該弱接着部の外縁から内部に向かって弱接着部の巾を狭くする非シール部を形成した包装袋（特開平１０−９５４７１号公報）、（３）シール部の一部にシール巾を局所的に狭くした非シール部とこれに対応する内方膨出シール部を設けた包装袋（特開平１０−１０１１５４号公報）、（４）開封部の一部に加熱時に開口を形成する熱収縮性フイルムを挟着した包装袋（特開平１０−９５４７０号公報）（５）ヒートシール部の一部に薄膜を介して弱シール部を形成し、この弱シール部の一部にヒートシール巾の狭い巾狭シール部を設けた包装袋（特開平１０−５９４３３号公報）等が提案されている。
【０００５】
しかしながら、これら従来の包装袋では開封部を形成するために複雑な工程を必要としコストアップを招くとともに、開封部のシール強度が小さくなるために、レトルト食品用包装袋に必要とされるシール強度（２．３ｋｇ／１５ｍｍ巾以上）が得られず、レトルト時や電子レンジでの加熱時に開口予定部や周縁シール部が破袋したり、充填する内容物が制限されるという問題点があった。
また、ヒートシール部の一部に部分的にＶ字型等の突出部を形成した包装袋では、突出部のシール角度が狭くなるために包装袋の落下強度が弱く充填後の輸送、保管時に破袋が生じるという欠点があった。
そして、これら従来の包装袋では、電子レンジでの加熱により開口した袋を開封して内容物を取出すには、ハサミ等を使用して袋を開封することが必要であった。
【０００６】
【発明が解決しようとする課題】
本発明は、上記従来技術における問題点を解消し、内容物を充填した包装袋をレトルト加熱処理することができ、包装袋に必要とされるシール強度を確保し、電子レンジで加熱した際に包装袋内部の圧力を自動的に逃がすことができるとともに、電子レンジでの加熱により開口したシール面を手で剥がして容易に開封することのできる電子レンジ用包装袋を、安価に提供することを目的とするものである。
【０００７】
【課題を解決するための手段】
本発明では、上記課題を解決するために、次のような構成を採用する。
１．プラスチックフイルムをヒートシールすることにより密封する包装袋の周縁シール部の少なくとも１箇所に、袋の一辺の両端部を基部とし袋の内方側に頂部を有するなだらかな連続Ｖ字型シール部を設けた電子レンジ用包装袋において、前記Ｖ字型シール部を複数の線状シールにより、シール部の外縁部及び内縁部がともにＶ字状となるように構成したことを特徴とする電子レンジ用包装袋。
２．連続Ｖ字型シール部のシール幅を他の周縁シール部のシール幅よりも狭くしたことを特徴とする１に記載の電子レンジ用包装袋。
３．線状シールのシール幅を１〜３ｍｍとしたことを特徴とする１又は２に記載の電子レンジ用包装袋。
４．連続Ｖ字型シール部を包装袋の長辺に設けたことを特徴とする１〜３のいずれかに記載の電子レンジ用包装袋。
５．連続Ｖ字型シール部の頂部の開き角度を１２０〜１７０度としたことを特徴とする１〜４のいずれかに記載の電子レンジ用包装袋。
６．連続Ｖ字型シール部の外側に弱化部を形成したことを特徴とする１〜５のいずれかに記載の電子レンジ用包装袋。
７．連続Ｖ字型シール部のシール強度が２．３ｋｇ／１５ｍｍ以上であることを特徴とする１〜６のいずれかに記載の電子レンジ用包装袋。
８．連続Ｖ字型シール部の外側にローレットシールを施したことを特徴とする１〜７のいずれかに記載の電子レンジ用包装袋。
９．包装袋が分岐部を有する包装袋であり、該分岐部に連続Ｖ字型シール部を設けたことを特徴とする１〜８のいずれかに記載の電子レンジ用包装袋。
１０．包装袋がスタンディングパウチであることを特徴とする１〜９のいずれかに記載の電子レンジ用包装袋。
１１．包装袋の製袋と内容物の充填を連続して行うことを特徴とする１〜１０のいずれかに記載の電子レンジ用包装袋に内容物を充填した包装体の製造方法。
１２．包装袋の製袋と内容物の充填を別々に行うことを特徴とする１〜１０のいずれかに記載の電子レンジ用包装袋に内容物を充填した包装体の製造方法。
【０００８】
【発明の実施の形態】
本発明で電子レンジ用包装袋を構成するプラスチックフイルムとしては、通常包装袋の製造に用いられるヒートシール性を有するプラスチック材料が使用される。このようなプラスチック材料としては、例えばヒートシール性を有する熱可塑性樹脂からなる単層のフイルム、シート類や、ヒートシール性を有する熱可塑性樹脂を他の熱可塑性樹脂等と積層した多層フイルム等が挙げられる。
【０００９】
このようなヒートシール性を有するプラスチック材料としては、例えば公知の低密度ポリエチレン、線状低密度ポリエチレン、中密度ポリエチレン、高密度ポリエチレン、ポリプロピレン、プロピレン−エチレン共重合体、エチレン−酢酸ビニル共重合体、エチレン系不飽和カルボン酸乃至その無水物でグラフト変性されたオレフィン樹脂等のオレフィン系樹脂、比較的低融点乃至低軟化点のポリアミド乃至コポリアミド樹脂、ポリエステル乃至コポリエステル樹脂、ポリカーボネイト樹脂等が使用される。
【００１０】
また、ヒートシール性を有するプラスチック材料と積層する他のプラスチック材料としては、ヒートシール性を有し又は有さない熱可塑性樹脂を使用することができる。
このような熱可塑性樹脂としては、例えば結晶性ポリプロピレン、結晶性プロピレン−エチレン共重合体、結晶性ポリブテン−１、結晶性ポリ４−メチルペンテン−１、低−、中−、或いは高密度ポリエチレン、エチレン−酢酸ビニル共重合体（ＥＶＡ）、ＥＶＡケン化物、エチレン−アクリル酸エチル共重合体（ＥＥＡ）、イオン架橋オレフィン共重合体（アイオノマー）等のポリオレフィン類；ポリスチレン、スチレン−ブタジエン共重合体等の芳香族ビニル共重合体；ポリ塩化ビニル、塩化ビニリデン樹脂等のハロゲン化ビニル重合体；ポリアクリル系樹脂；アクリロニトリル−スチレン共重合体、アクリロニトリル−スチレン−ブタジエン共重合体の如きニトリル重合体；ポリエチレンテレフタレート、ポリテトラメチレンテレフタレート等のポリエステル類；各種ポリカーボネート；フッ素系樹脂；ポリオキシメチレン等のポリアセタール類等の熱可塑性樹脂を挙げることができる。これらの熱可塑性樹脂は単独で又は二種以上をブレンドして使用することができ、また、各種の添加剤を配合して使用してもよい。
【００１１】
本発明では、上記プラスチック材料により構成された未延伸の、或いは一軸又は二軸延伸したフイルムを、常法によりヒートシールすることにより電子レンジ用包装袋を構成する。フイルムがヒートシール性を有する熱可塑性樹脂とヒートシール性を有さない熱可塑性樹脂との積層フイルムである場合には、ヒートシール性を有する熱可塑性樹脂層同士が内面となるようにヒートシールする。
【００１２】
以下、図面に基づいて本発明の電子レンジ用包装袋の構成について説明する。
図１は、本発明の電子レンジ用包装袋（平パウチ）の１例を表す平面図である。この電子レンジ用包装袋１では、周縁シール部２の１長辺に、その両端部Ａ、Ｂを基部とし袋の内方側に頂部Ｃを有するなだらかな３本の細幅の線状シール３１、３２、３３により構成した連続Ｖ字型シール部３を設けてある。連続Ｖ字型シール部３の各線状シールのシール幅は、他の周縁シール部２のシール幅よりも狭くすることが好ましい。また、連続Ｖ字型シール部３の頂部の開き角度ＡＣＢは、１２０〜１７０度、特に１２０〜１５０度とすることが好ましい。
【００１３】
この包装袋１を電子レンジで加熱すると、内容物が発生する水蒸気等により包装袋１は中心部から周縁部に向かって膨張し、矢印で示したように連続Ｖ字型シール部３の頂部Ｃに応力集中が発生する。この応力集中によって、連続Ｖ字型シール部３は頂部Ｃから袋の外側に向かっておし拡げられてシール部３が後退して破断が開始し、この破断が頂部Ｃに対向するシール部３外側のＤに達したときに、シール部３が部分的に開口して水蒸気等が外部に排出されるので破袋を防止することができる。
【００１４】
各線状シールのシール幅は、０．５〜５ｍｍ、特に１〜３ｍｍ程度とすることが好ましい。また、線状シールの本数は、２〜５本、特に２〜４本とすることが好ましい。線状シールのシール幅を上記範囲内のものとすることによって、電子レンジで加熱したときにシール部が容易に部分開口するようになる。
【００１５】
図２は、本発明の電子レンジ用包装袋（スタンディングパウチ）の他の例を示す平面図である。
この電子レンジ用包装袋１では、連続Ｖ字型シール部３を包装袋１の短辺に、２本の線状シール３１、３２により構成した。また、連続Ｖ字型シール部３を構成する外側線状シール３２の外側に、ローレットシール部４を設けるとともに弱化部５を設けることによって、シール部の部分開口が容易に行なわれるようにした。この弱化部５は、包装袋１を構成するプラスチックフイルムに貫通孔、半貫通孔又はスリットを設ける等により形成することができ、包装袋１をピン、フック、ひも等に係止する役目も備えている。
この包装袋１では、連続Ｖ字型シール部３の外側にローレットシール４を施してあるが、ローレットシール４を設けず連続Ｖ字型シール部３の外側部が包装袋１の外縁部となるように構成することもできる。ローレットシール４等弱シール部を設けることにより、レトルト殺菌処理等で未シール部に汚れが付着したり、フイルムがめくれて外観を損ねたりするのを防止する効果がある。
ローレットシールは、シール強度が高いと手で容易に開封できないので、シール面積を極力少なくしたり、シール温度や圧力を調整することでシール強度を低く抑える必要がある。
【００１６】
この電子レンジ用包装袋１は、電子レンジ内に自立させて加熱することによって内容物から発生した水蒸気等により内側線状シール３１の頂部からシール部の破断が開始し、外側線状シール３２の外側に達した後、弱化部５が剥離することによって、連続Ｖ字型シール部３が部分的に開口して水蒸気等が外部に排出され、破袋を防止することができる。
また、部分的に開口した連続Ｖ字型シール部３を手でつまんで開封することによって、加熱調理された内容物を容易に包装袋１から取出すことができる。
【００１７】
図３〜図５は本発明の電子レンジ用包装袋（ガセット袋）の他の例を示す図であり、図３は包装袋の斜視図、図４はその平面図を表す。そして、図５は図４のＸＸ線における断面模式図であり、図５（Ａ）は包装袋の電子レンジでの加熱前の状態を表し、図５（Ｂ）は電子レンジでの加熱時の状態を表す。
この包装袋１は、袋の１長辺側にガセット状の分岐部７，７を有し、一方のガセット７の長辺には長辺の両端部を基部とし袋の内方側に頂部を有するなだらかな連続Ｖ字型シール部３が設けられ、他方のガセット７の長辺には通常の周縁シール部２が設けられている。
【００１８】
この包装袋１を電子レンジで加熱すると、図５（Ｂ）にみられるように内容物から発生した水蒸気等により包装袋しが膨張し、ガセット７、７の分岐部が上下に拡がり、連続Ｖ字型シール部３の頂部に応力集中が発生する。この応力集中によって、連続Ｖ字型シール部３は頂部から袋の外側に向かっておし拡げられて部分的に開口し、水蒸気等が外部に排出されて破袋が防止される。
加熱調理された内容物は、部分的に開口した連続Ｖ字型シール部３を手でつまんで開封することによって包装袋１から取出すことができるが、図４にみられるように連続Ｖ字型シール部３を設けたガセット７の分岐部近辺にノッチ、ミシン目等の易開封加工部８を設け、この易開封加工部８からガセット７を開封するようにしてもよい。
【００１９】
上記の各例では、包装袋の周縁シール部に直線状の連続Ｖ字型シール部を設けた例について説明したが、図６にみられるように、連続Ｖ字型シール部の形状はゆるやかな曲線状としてもよい。特に、包装袋内方からみて外側の曲率を持った形状が有効で、自動開口しやすく、包装袋内容積を確保する効果がある。また、図７にみられるように、先端部の形状を部分的に突出させる等適宜変更することもできる。さらに、連続Ｖ字型シール部の頂部の位置を中央部からずらせた位置に配置するようにしてもよい。
【００２０】
本発明の電子レンジ用包装袋の周縁シール部及び連続Ｖ字型シール部のシール強度は、２．３ｋｇ／１５ｍｍ巾以上とすることが可能となる。
従来の電子レンジ加熱時に自動開封する包装袋では、加熱時に開封部のシール強度が著るしく低下し、レトルト食品用包装袋に必要とされる２．３ｋｇ／１５ｍｍ巾以上のシール強度を得ることができなかった。本発明の電子レンジ用包装袋では、周縁シール部や連続Ｖ字型シール部自体には、加熱時にシール強度が低下する材料の使用や加工処理をしないために、上記シール強度を維持することが可能となる。
【００２１】
その結果、包装袋に内容物を充填した後にレトルト処理する際に、連続Ｖ字型シール部や周縁シール部から破袋することがない。また、従来のヒートシール部の一部に部分的にＶ字型等の突出部を形成した包装袋に比較して、落下強度が改善され輸送や保管時の破袋を防止することができる。
そして、電子レンジで加熱する際にも、連続Ｖ字型シール部が一定時間シール強度を維持し、包装袋内の内圧が水蒸気により高められた状態に保たれ、加熱蒸らし効果が得られるので内容物の食味が向上するとともに、調理時間を短縮することができるという顕著な効果を奏する。
【００２２】
【実施例】
つぎに、実施例により本発明をさらに説明するが、以下の具体例は本発明を限定するものではない。
（実施例１〜６、比較例１〜５）
外層から順に、１２μｍのシリカ蒸着２軸延伸ポリエステルフィルム、１５μｍの２軸延伸ナイロンフィルム、及び７０μｍのポリプロピレンフィルム（ブロックタイプ）を、ポリウレタン系接着剤を使用してドライラミネーションによりロール状の積層体を作製した。
この積層体を製袋機に取り付け、ポリプロピレン層を内側にして積層体同士を重ね合わせてパウチ長辺側周縁部片側に連続Ｖ字型シールを、短辺側に通常の周縁シールを施した。連続Ｖ字型シールは、シール部の頂部の開き角度（図１の角度ＡＣＢ）、シール幅及びシール本数を変えたシールバーを数種類準備して実施した。また、比較例として、シール形状がＶ字型をなさないもの（比較例１）、及び直線状の周縁シール部に局部的に鋭角状のＶ字型シール部を施したものも作製した（比較例２〜５）。次に、パンチ＆ダイを用いて連続Ｖ字型シールの外側に貫通孔（径４ｍｍ）及びローレットシールを設けた。この方法により、短辺１３０ｍｍ×長辺１７０ｍｍの三方シール袋を作製した。
【００２３】
得られた三方シール袋にカレーを１８０ｇ充填・シールし、１２０℃で３０分レトルト殺菌したものを、シール形状毎に各３０袋作製した。得られたカレー充填パウチを定格出力６００Ｗの電子レンジで加熱し、自動開口の有無および周縁シールの状態を観察した。同時に、開口後の袋の開封性を、次のような基準で評価した。
○：手で容易に開封できる。
△：やや開封しずらい。
×：開封しずらい。
また、このカレー充填袋を５℃に保存した後、１ｍの高さから水平及び垂直方向に各１０回落下させ、袋の破損の有無を調べた。結果を表１に示す。
【００２４】
【表１】
0004929550.tif 000002
【００２５】
上記表１によれば、シール形状が連続Ｖ字型線シールであるものは（実施例１〜６）、電子レンジ加熱で内圧が高まり袋が膨らんだ後に、周縁シールの後退もなく、シール頂部から内部圧力が抜け、破袋することなく内容品を調理することができた。また、線シールのために調理後の開封も容易で、落下強度にも問題がないことが確認された。
また、連続Ｖ字型シール部のシール強度が高いため、自動開口機能のないパウチに比べて短時間で内容品を調理することができ、蒸らし効果により食味のよいものが得られた。
【００２６】
一方、本発明の範囲外のものは、比較例１ではシール形状がＶ字型をなしていないため、シール部から内部圧力が抜ける前に、周縁シール部の破袋がみられた。また、比較例２〜５では、局部的Ｖ字型シールのため、開口性には問題がないものの、開封性が悪く、落下強度にも問題があった。
なお、これらのカレー充填袋のシール強度は、周縁シール部及びＶ字型シール部ともに平均４．３ｋｇ／１５ｍｍであった。
また、従来の製袋機を使用して、本発明のパウチが問題なく製造できることも確認された。
【００２７】
（実施例７〜１２、比較例６〜１０）
実施例１と同じ積層体を使用して、製袋機により短辺１３０ｍｍ×長辺１７０ｍｍ×底折込み幅３６ｍｍのスタンディングパウチを作製した。
このスタンディングパウチにスープ２２０ｇを充填し、表２に示した内容でパウチの上部に連続Ｖ字型シールを施した。このスープ充填パウチを１２０℃で３０分レトルト殺菌したものを、シール形状毎に各３０袋作製した。
この充填パウチを定格出力６００Ｗの電子レンジで加熱し、自動開口の有無および周縁シールの状態を観察するとともに、開口後の袋の開封性を表１と同じ基準で評価した。結果を表２に示す。
【００２８】
【表２】
0004929550.tif 000003
【００２９】
上記表２によれば、実施例１と同様にシール形状が本発明の範囲内のものは（実施例７〜１２）、電子レンジ加熱で内圧が高まり袋が膨らんだ後に、周縁シールの後退もなく、連続Ｖ字型シール部の頂部から内部圧力が抜け、破袋することなく内容品を調理することができた。また、連続Ｖ字型シール部のシール強度が高いために、短時間で内容品を調理することができ、蒸らし効果により食味のよいものが得られた。さらに、落下強度にも問題がないことが確認された。
一方、本発明の範囲外のものは、比較例６ではシール形状がＶ字型をなしていないため、シール部から内部圧力が抜ける前に、周縁シール部の破袋がみられた。また、比較例７〜１０では局部的Ｖ字型シールのため、開口性には問題がないものの、開封性が悪く、落下強度にも問題があった。
なお、これらのカレー充填袋のシール強度は、周縁シール部で平均４．０ｋｇ／１５ｍｍ、Ｖ字型シール部で平均４．２ｋｇ／１５ｍｍであった。
【００３０】
本発明の包装袋は、カレー、シチュー、肉団子、スープ、ぜんざい等の各種のレトルト食品、餃子、焼売、ピラフ等のチルド食品及び冷凍食品等の電子レンジ、又は湯煎により加熱される食品用の包装袋として好適に用いられる。
【００３１】
本発明の電子レンジ用包装袋に各種食品類を充填した包装体を製造する方法としては、包装袋の製袋と内容物の充填を連続して行なう、いわゆるインラインシール方式を採用することができる。この方式では、通常は周縁シール部と連続Ｖ字型シール部のヒートシールは同時に行なわれるが、必要に応じて連続Ｖ字型シール部に設ける弱化部は、ヒートシール後に孔加工する等の方法により形成することができる。また、あらかじめ包装袋を構成するフイルム原反に弱化部を形成しておき、この原反フイルムをヒートシールして製袋するようにしてもよい。
【００３２】
包装袋に内容物を充填した包装体を製造する他の方法としては、あらかじめ包装袋を製袋した後に、製袋機とは別の充填機又は別機械を使用し、内容物を充填後充填口をシールする、いわゆるオフライン方式を採用してもよい。連続Ｖ字型シール部のヒートシールは、充填口のシールと同時に行うことができ、あるいはあらかじめ充填前に行うようにしてもよい。
【００３３】
【発明の効果】
上記構成をとることによって、本発明の電子レンジ用包装袋は、次のような顕著な効果を奏する。
（１）周縁シール部の破断が生じる前に連続Ｖ字型シール部の頂部での破断が生じ、袋が予め定められた位置で確実に自動的に開封して破袋を防止することができる。
（２）従来のヒートシール部の一部に部分的にＶ字型等の突出部を形成した包装袋に比較して、落下強度が大幅に改善され輸送や保管時の破袋を防止することができる。
（３）特殊な材料や複雑な工程を使用せず、製袋時に通常のヒートシール装置によって、周縁シール部と連続Ｖ字型シール部の形成を同時に行うことができるので、コストアップを防止することができる。また、内容物充填後にレトルト殺菌を行うのに必要なシール強度（２．３ｋｇ／１５ｍｍ巾以上）を確保することができる。
（４）電子レンジで加熱する際に、連続Ｖ字型シール部が一定時間シール強度を維持し、包装袋内の内圧が水蒸気により高められた状態に保たれ、加熱蒸らし効果が得られるので内容物の食味が向上するとともに、調理時間を短縮することができる。
（５）袋を電子レンジで加熱後、部分的に開口した連続Ｖ字型シール部を手で剥がして容易に開封することができる。
【図面の簡単な説明】
【図１】  本発明の電子レンジ用包装袋の１例を示す図である。
【図２】  本発明の電子レンジ用包装袋の他の例を示す図である。
【図３】  本発明の電子レンジ用包装袋の他の例を示す図である。
【図４】  図３の電子レンジ用包装袋の平面図である。
【図５】  図３の電子レンジ用包装袋の電子レンジでの加熱時の状態を表す断面模式図である。
【図６】  本発明の電子レンジ用包装袋の他の例を示す図である。
【図７】  本発明の電子レンジ用包装袋の他の例を示す図である。
【符号の説明】
１                  電子レンジ用包装袋
２                  周縁シール部
３                  連続Ｖ字型シール部
４                  ローレットシール部
５                  弱化部
７                  ガセット
８                  易開封加工部
３１，３２，３３    線状シール
【図１】
0004929550.tif 000004
【図２】
0004929550.tif 000005
【図３】
0004929550.tif 000006
【図４】
0004929550.tif 000007
【図５】
0004929550.tif 000008
【図６】
0004929550.tif 000009
【図７】
0004929550.tif 000010